(57)【特許請求の範囲】
【請求項１】
それぞれ長い辺の端に複数個のねじ穴を設けた４枚のコンパネと、コンパネの長い辺の長さに等しい長さで、コンパネを差し込むことのできる溝をもち、コンパネのねじ穴と同数同位置にねじ穴を設けたL字型鋼のコンパネ固定金具、及びねじ穴と同数でコンパネ固定金具の厚さと同じ長さのよびをもつボルトを用いて４枚のコンパネの連結が壊れないように固定した四角柱の雪山を作る装置。
【請求項２】
素材のコンパネを合成樹脂に変えて製作できる請求項１記載の四角柱の雪山を
作る装置。
【発明の詳細な説明】
【技術分野】
【０００１】
本発明は，降った雪を邪魔にならない様に，四角柱の雪山にする装置に関する。
【背景技術】
【０００２】
従来，降雪後の道路の雪は、スコップ、雪かき用のジョンバなどを用いて、道路の端に投げ上げ、高く積み上げる方法で行われてきた。雪を積み上げる装置は、（特許文献１）のように、かまくらを作る装置に関してはいくつか見られるが、道路の雪を高く積み上げる装置に関するものは見当たらない。
【先行技術文献】
【特許文献】
【０００３】
【特許文献１】特開２００８−０２５３２１号公報
【特許文献２】特許４０１９３２９号公報
【発明の概要】
【発明が解決しようとする課題】
【０００４】
北海道の雪は、地域によって異なるが，湿り気のないさらさらしたもので、雪山の頂上をめがけて雪を投げ上げて積もうとしても、雪は雪山の側面を滑り落ち、落ちてきた雪を何回も繰り返して、積 み上げる必要があった。また滑り落ちた雪が道路を狭くし、または路面に傾斜を作り、夏季には対向車があっても、そのまま交差することは出来たが、冬季は雪山の陰の空いたところに車を寄せ、対向車が行き過ぎるのを待たなければ、走行は不可能となり、 大変危険であり，雪のため多くの大切な命が奪われている。そのため毎年道路の雪を取り除くために、市町村では除雪車や排雪車を出し、その費用は莫大なものである。道路の幅を確保するために雪山を高くし、雪が滑り落ちないようにすることが課題である。
【課題を解決するための手段】
【０００５】
課題を解決するために本発明は以下の構成とした。
4枚のコンクリートパネル（以下コンパネという）で四角柱（１）を作り、雪をその中に投げ入れ四角柱の雪山を作ることとした。また四角柱の雪山が出来たあとは、コンパネ固定金具とコンパネを解体できるようにした。
４枚のコンパネ（５）はそれぞれ長い辺の端に複数個のねじ穴（６）を設ける。
コンパネ固定金具（２）はコンパネの長い辺の長さに等しい長さをもち、コンパネを差し込むことのできる溝（４）をもったＬ字型鋼で、コンパネのねじ穴（６）と同数同位置のねじ穴を設ける。
コンパネ（５）とコンパネ固定具（２）を連結させ、ねじ穴（６）と同数のボルト（３）を用いて連結が壊れないように固定する。このボルトはコンパネ固定金具の厚さのよびをもち、コンパネ固定金具にあけたねじ穴（６）はナットの役割をはたせるように両方にメスのねじ山を切る。
４枚のコンパネをそれぞれを縦にロの字にして立て、正面を（Ａ）・左側面を（Ｂ）・背面を（Ｃ）・右側面を（Ｄ）とする。正面（Ａ）と左側面（Ｂ）を直角に連結し，地面に垂直にコンパネ固定具で固定する。左側面（Ｂ）と背面（Ｃ），背面（Ｃ）と右側面（Ｄ），右側面（Ｄ）と正面（Ａ）も同様の方法で固定する。
固定方法は，コンパネ固定金具（２）の溝（４）にコンパネ（５）を差し込む形で４面を構成するが，各４本のコンパネ固定金具にセットされているそれぞれの複数個のボルト（３）を回して連結が壊れないように固定する。
出来あがった四角柱の雪山を作る装置本体（１）に，スコップ，ジョンバ等で雪を硬くなるまで入れて，終了したら，ボルト（３）を外してコンパネ（５）とコンパネ固定金具（２）を解体すると，四角柱の雪山が出来る。
雪が道路で，人や車の交通の邪魔に成って多くの事故が起こっているが，このように次々と四角柱の雪山を作って行く事により，道路幅を確保することにより雪の為に命を失うまたは大怪我をする事を防止する事ができる。
【発明の効果】
【０００６】
本発明は，以下の効果を有する。
コンパネ４枚で囲って雪山を作るため、高く投げ上げた雪が道路上に落下しない。
このため道路を狭くしない。
コンパネの長さまで雪を積み上げることが出来るので、大量の雪を積むことが出来る。除雪車排雪車を使用しての除雪排雪作業は必要不可欠なものであるが、住民の協力を得れば出動回数が減り、費用が削減できる。
作業後解体して雪山のみを残すので、除排雪の邪魔にならない。
【図面の簡単な説明】
【０００７】
【図１】本発明の斜視図
【図２】コンパネ固定金具にコンパネを入れた平面説明図
【図３】コンパネ固定金具拡大説明図
【図４】四角柱の雪山使用図
【発明を実施するための形態】
【０００８】
以下本発明の実施形態について説明する。
４枚のコンパネで四角柱を作り、雪をその中に投げ入れ四角柱の雪山を作ることとした。また四角柱の雪山が出来たあとは、コンパネとコンパネ固定金具を解体できるようにした。これは一つの雪山が出来たら、装置を解体してすぐ隣に同等の雪山を連続して作るためと、作業が終わった後収納に便利なようにするためである。
【０００９】
４枚のコンパネ（５）はそれぞれ長い辺の端に複数個のねじ穴（６）を設ける。
コンパネ固定金具（２）はコンパネの長い辺の長さに等しい長さをもち、コンパネを差し込むことのできる溝（４）をもったＬ字型鋼で、コンパネのねじ穴（６）と同数同位置のねじ穴を設ける。
コンパネ（５）とコンパネ固定具（２）を連結させ、ねじ穴（６）と同数のボルト（３）を用いて連結が壊れないように固定する。このボルトはコンパネ固定金具の厚さのよびをもち、コンパネ固定金具にあけたねじ穴（６）はナットの役割をはたせるように両方にメスのねじ山を切る。
４枚のコンパネそれぞれを縦にロの字にして立て、正面を（Ａ）・左側面を（Ｂ）・背面を（Ｃ）・右側面を（Ｄ）とする。
正面（Ａ）と左側面（Ｂ）を連結する。連結方法として地面に垂直にコンパネ固定金具を用いる。左側面（Ｂ）と背面（Ｃ），と右側面（Ｄ），右側面（Ｄ）と正面（Ａ）も同様の方法で固定する。
固定方法は，コンパネ固定金具（２）の溝（４）にコンパネ（５）を差し込む形で４面を構成するが，各４本のコンパネ固定金具にセットされているネジ穴と同数個のボルト（３）を回して連結が壊れないように固定する。
出来あがった四角柱の雪山を作る装置本体（１）に，スコップ，ジョンバ等で雪を硬くなるまで入れて，終了したら，ボルト（３）を外してコンパネ（５）とコンパネ固定金具（２）を解体すると，四角柱の雪山が出来る。
道路で雪が人や車の交通の妨げになり多くの事故が起こっているが，このように次々と四角柱の雪山を作って行く事により，道路幅を確保して雪の為に命を失うまたは大怪我をする事を防止する事ができる。
【００１０】
コンパネは通常、縦１８０センチメートル  横９０センチメートルであり、このままではお年寄りや女性の雪投げには高すぎて難しいと思われる。A面のコンパネを数枚に切り、そのうちの一枚を固定して雪を投げ入れ固め、いっぱいになったら次の一枚を上から溝に沿って入れ固定し雪を入れ固め、順次一枚ずつ入れて、高さを調節すると作業は楽に行える。
又，コンパネを合成樹脂に変えて四角柱の雪山を作る装置とすることができる。
作業後解体するのは、道路上の雪で雪山を作る際、建造物とみなされないようにする為である。また除雪車排雪車が通る時の邪魔にならないようにするためである。
【符号の説明】
【００１１】
１．  四角柱の雪山を作る装置本体
２．  コンパネ固定金具
３．  ボルト
４．  コンパネ固定金具の溝
５．  コンパネ
６．  ネジ穴
Ａ．  本発明の正面
Ｂ．  左側面
Ｃ．  背面
Ｄ．  右側面
【図１】
0005605869.tif 000002
【図２】
0005605869.tif 000003
【図３】
0005605869.tif 000004
【図４】
0005605869.tif 000005